(57)【要約】【課題】優れた表示効果を有する透過照明表示での反射照明用の画像シートの使用を可能にし、その様な透過照明表示の実施に好適な表示装置を提供する。【解決手段】棒状一次光源２２、リフレクタ２３、導光板２１、光拡散板２４及び光反射フィルム２５を含むエッジライト型面光源２の光拡散板２４から照明光を出射させ、照明光が画像シートＸに至るまでの光路にミレッド値１０〜３０の色温度変換フィルタ４を配置する。【選択図】　図１
2004061738.tif 000002
【特許請求の範囲】
【請求項１】
反射照明用に作製された画像シートに対して照明光を背後から照射する透過照明を適用し、前記照明光が前記画像シートに至るまでの光路に色温度変換フィルタを介在させることを特徴とする画像表示方法。
【請求項２】
前記色温度変換フィルタとしてミレッド値１０〜３０のものを使用することを特徴とする、請求項１に記載の画像表示方法。
【請求項３】
前記画像シートとしてベースシートの表面に印刷による前記画像を担持してなるものを使用することを特徴とする、請求項１〜２のいずれかに記載の画像表示方法。
【請求項４】
前記照明光をエッジライト型面光源により生じさせ、該面光源の発光面上に前記色温度変換フィルタを介して前記画像シートを配置することを特徴とする、請求項１〜３のいずれかに記載の画像表示方法。
【請求項５】
光源と、該光源から発せられる照明光が画像シートを背後から照射するように該画像シートを保持する画像シート保持手段と、前記照明光が前記画像シートに至るまでの光路に介在せしめられた色温度変換フィルタとを備えることを特徴とする画像表示装置。
【請求項６】
前記色温度変換フィルタはミレッド値が１０〜３０であることを特徴とする、請求項５に記載の画像表示装置。
【請求項７】
更にフレーム部材を備え、前記色温度変換フィルタは前記フレーム部材に対して着脱可能に支持されていることを特徴とする、請求項５〜６のいずれかに記載の画像表示装置。
【請求項８】
前記光源はエッジライト型面光源であり、該面光源の発光面上に前記色温度変換フィルタが配置されることを特徴とする、請求項５〜７のいずれかに記載の画像表示装置。
【発明の詳細な説明】
【０００１】
【発明の属する技術分野】
本発明は、照明を用いた画像表示の技術分野に属するものであり、特に、背後から画像を透過照明する形式の画像表示の方法及び装置に関するものである。本発明は、例えば、駅や店舗等の公衆が利用する施設において配置される大型の広告用電飾看板における表示に有効に適用される。
【０００２】
【従来の技術及び発明が解決しようとする課題】
従来、広告用表示装置としては、広告画像を紙等の画像担持体（ベースシート）の一方の表面に印刷により形成してなる画像シートを斜め前方に配置した光源により反射照明することで、暗所での画像表示を行なっているものが一般的である。これに用いられる画像シートは、一般紙ポスターと称され、反射照明下で見るものであるため、反射式原稿、反射式写真、反射式ポスター等とも呼ばれており、本来、透過照明下での表示を目的としたものではない。従って、画像のカラーバランスはＣＭＹ（シアン、マゼンタ及びイエローの絵の具の三原色）にＫ（黒）による補正の４色を用いて発色させたものが主流であり、ベースシートの質に応じて印刷濃度やカラーバランスを変えて反射照明下で所望の画像表示がなされるようにしている。
【０００３】
また、以上の様な反射照明の場合とは異なる表示効果を得るものとして、画像を透過照明するもの（例えば電飾看板）がある。これに用いられる画像シートは、透過照明下で見るものであるため、透過式ポスター、透過型ポジフィルム、透過型シート等と呼ばれており、業界ではカラーコルトンまたはコルトンフィルムと通称されている。透過照明のための画像は、反射照明のためのものとは濃度及びカラーバランスが根本的に異なり、透過照明下で所要の画像表示が得られる様に、光透過性のフィルムなどからなるベースシートに、かなり濃度の高い画像を形成したものが用いられる。即ち、光透過により画像を観察するため、反射照明のためのものとは材質が根本的に異なるベースシート（光透過性のポリエステルシート等）が使用され、更に、画像のカラーバランスはＲＧＢ（レッド、グリーン及びブルーの光の三原色）で発色させたものである。
【０００４】
この透過照明による画像表示は、反射照明による画像表示に比べて或る種の奥行感が得られる等の疑似立体的表示効果があるため、特に文字以外の画像を用いる場合には、見る者に強い印象付けを行なうことができ、次第に利用頻度が高まっている。
【０００５】
しかるに、透過照明のための画像シートは、反射照明のための画像シートに比べて高価であるという難点がある。これは製作方法に起因しており、現在、画像制作においてデジタル化が進んだとはいえ、出力は１枚ものの現像方式が主流であり、フルデジタル化が困難である。かくして、製作コストは、大型サイズのもの（Ｂ０サイズ［１４５６ｍｍ×１０３０ｍｍ］以上のもの）では、出力だけで１０万円以上もかかることがしばしばであり、制作費も含めると高額なものとならざるを得ない。このため、電飾看板においては、反射照明の看板ほど広告画像の交換頻度は高くない。
【０００６】
一方、反射照明のための画像シートである一般紙ポスターは、画像制作の点では透過照明のための画像シートと大差ないが、出力の点ではアナログであっても数百枚〜数千枚単位で印刷することができるので、１枚あたりのコストは出力費のみで見ると数百円〜数千円であり電飾用透過式ポスターと比較して約２桁も小さい。
【０００７】
このように、反射照明用の画像シートと、透過照明用の画像シートとは、もともと製作形態が異なり、もちろん光学的特性も異なるので、反射照明用の画像シートを透過照明用の表示装置において使用することはなされていないし、逆も同様である。
【０００８】
ところで、昨今、広告クライアントの減少から、既設の電飾看板に空きが目立つ様になっている。これは、透過照明用の高価なコルトンフィルムの使用が一因で広告単価の低減が困難であることが、大きな要因と考えられる。そこで、この打開策として、比較的安価な一般紙ポスターを透過照明で使用することが考えられるが、以上の様な根本的相違点により、表示の濃度及びカラーバランスが所要のものから著しくかけ離れたものとなり、全体に白けた印象となり、くっきりした画像表示を行なうことができず、安価ではあるが、品質の著しい低下を生ずる。
【０００９】
そこで、本発明の目的は、優れた表示効果を有する透過照明表示での、従来使用が不適とされていた反射照明用の画像シートの使用を可能にすることにある。また、本発明の他の目的は、優れた表示効果を有する透過照明表示を低価格で実現し、もって頻繁な画像シート交換を可能にすることにある。更に、本発明は、その様な透過照明表示の実施に好適な表示装置を提供することをも目的とするものである。
【００１０】
【課題を解決するための手段】
本発明によれば、以上の如き目的を達成するものとして、
反射照明用に作製された画像シートに対して照明光を背後から照射する透過照明を適用し、前記照明光が前記画像シートに至るまでの光路に色温度変換フィルタを介在させることを特徴とする画像表示方法、
が提供される。
【００１１】
本発明の一態様においては、前記色温度変換フィルタとしてミレッド値１０〜３０のものを使用する。本発明の一態様においては、前記画像シートとしてベースシートの表面に印刷による前記画像を担持してなるものを使用する。本発明の一態様においては、前記照明光をエッジライト型面光源により生じさせ、該面光源の発光面上に前記色温度変換フィルタを介して前記画像シートを配置する。
【００１２】
また、本発明によれば、以上の如き目的を達成するものとして、
光源と、該光源から発せられる照明光が画像シートを背後から照射するように該画像シートを保持する画像シート保持手段と、前記照明光が前記画像シートに至るまでの光路に介在せしめられた色温度変換フィルタとを備えることを特徴とする画像表示装置、
が提供される。
【００１３】
本発明の一態様においては、前記色温度変換フィルタはミレッド値が１０〜３０である。本発明の一態様においては、前記画像表示装置更にフレーム部材を備え、前記色温度変換フィルタは前記フレーム部材に対して着脱可能に支持されている。本発明の一態様においては、前記光源はエッジライト型面光源であり、該面光源の発光面上に前記色温度変換フィルタが配置される。
【００１４】
【発明の実施の形態】
以下、本発明の実施の形態を、図面を参照しながら説明する。
【００１５】
図１は本発明による画像表示方法の実施される本発明の画像表示装置の一実施形態を示す模式的一部切欠斜視図であり、図２はその部分断面図である。これらの図において、符号２は光源を示し、符号４は色温度変換フィルタを示し、符号６は画像シート保持手段を示し、符号８は例えば合成樹脂製またはガラス製の透光性前面カバー板部材を示し、符号Ｘは画像シート保持手段６に保持された画像シートを示す。
【００１６】
光源２は、エッジライト型面光源であり、導光板２１と、該導光板の上下両端面（光入射端面）に隣接し且つ該端面に沿って左右方向を向いて配置された２つの棒状一次光源２２と、該棒状一次光源２２から発せられる光を導光体光入射端面２１ａへと効率よく導くために棒状一次光源２２に付されたリフレクタ２３と、導光板の２つの主面のうちの一方（前側主面）である光出射面２１ｂに付された光拡散板２４と、導光板の２つの主面のうちの他方（後側主面）である裏面２１ｃに付された光反射フィルム２５とを含んでなる。導光板２１は、光入射端面２１ａから入射した光を板面（主面）に沿って導光し、光拡散板２４からなる光出射機構により光出射面２１ｂから前方へと照明光を出射する。光出射機構としては、導光板２１の光出射面２１ｂまたは裏面２１ｃに形成された粗面または多数の微小レンズ列等からなるものを使用することも可能である。
【００１７】
面光源２から出射された照明光を、色温度変換フィルタ４を通過させることで、色温度変換を行なう。この色温度変換により、反射照明用に作製された画像シートＸに対して透過照明を行なった場合において、表示の濃度及びカラーバランスの劣化を少なくして、透過照明の良好な表示効果を得ることができる。この効果のためには、色温度変換フィルタ４はミレッド値１０〜３０のものが好ましい。ミレッド値１０〜３０のフィルタでの色温度変換により、特に良好な透過照明表示効果を得ることができる。
【００１８】
図１には示されていないが、図２に示されている様に、光源２の導光板２１、光拡散板２４及び光反射フィルム２５は第１フレーム部材１０Ａにより保持されており、色温度変換フィルタ４及び透光性前面カバー板部材８は第２フレーム部材１０Ｂにより保持されており、上記画像シート保持手段６は第２フレーム部材１０Ｂに形成されている。
【００１９】
画像シート保持手段６は、例えば溝からなり、反射照明用に作製された画像シートＸまたは透過照明用に作製された画像シートＸの端縁を差し込むことで保持することができる。この溝はまた、色温度変換フィルタ４の保持手段としても機能する。即ち、この溝に端縁を差し込むことで色温度変換フィルタ４を保持することができる。但し、色温度変換フィルタ４は画像シートＸと光源２との間に位置する様に配置される。
【００２０】
第１フレーム部材１０Ａと第２フレーム部材１０Ｂとは、表示装置の左端縁側においてヒンジ１０Ｃにより結合されている。なお、図示はしないが、第１フレーム部材１０Ａと第２フレーム部材１０Ｂとは、表示装置の右端縁側において、フックのような係合手段により係合されており、該係合手段による係合を解除することで、第１フレーム部材１０Ａに対して第２フレーム部材１０Ｂをヒンジ１０Ｃの回動中心の周りで回動させて、フレームを開くことができる。これにより、色温度変換フィルタ４及び画像シートＸを第２フレーム部材１０Ｂに対して容易に交換又は着脱することができる。
【００２１】
かくして、本実施形態の装置では、画像シートＸとして反射照明用に作製されたものを使用する場合には、図示されている様に、色温度変換フィルタ４を第２フレーム部材１０Ｂにより保持して、上記の様にして表示することができ、一方、画像シートＸとして透過照明用に作製されたものを使用する場合には、色温度変換フィルタ４を第２フレーム部材１０Ｂから取り外して、表示することができる。
【００２２】
以上の実施形態では色温度変換フィルタ４を着脱可能にしているが、本発明においては、色温度変換フィルタ４をフレームに取り外し不能に取り付けても良い。この場合は、色温度変換フィルタ４を光源２と一体化させるか又は第１フレーム部材１０Ａに取り付けることができ、画像シートＸとして、反射照明用に作製されたもののみを使用し、透過照明用に作製されたものは用いないようにすることができる。
【００２３】
図３は本発明による画像表示方法の実施される本発明の画像表示装置の他の実施形態を示す縦断面図であり、図４はその分解縦断面図である。これらの図において、上記図１〜図２におけると同様な機能を有する部材又は部分には同一の符号が付されている。
【００２４】
上記図１の実施形態と同様に、正面から見た形状が矩形状の導光板２１の上下端面に隣接して棒状一次光源２２が配置されている。導光板２１は、一次光源２２が対向する端面が光入射端面２１ａとされており、２つの主面のうちの一方の主面である正面が光出射面２１ｂとされている。また、導光板２の光出射面２１ｂ上には光拡散板２４が配置されており、導光板２１の２つの主面のうちの他方の主面である裏面２１ｃ上には光反射面部材（光反射フィルム等）２５が配置されている。導光板２１は、例えば厚さ８ｍｍ程度で幅１４８０ｍｍ程度で高さ１０５０ｍｍ程度の寸法の透明アクリル系樹脂板からなる。光拡散板２４は、例えば光拡散性粒子（酸化チタン粒子等）を含有する厚さ２ｍｍ程度のアクリル系樹脂板からなる。光反射面部材２５としては、例えば金属蒸着反射層を有するプラスチックフィルムをアルミニウム遮光板により担持したものを両面粘着シートにより接合した構造を有するものを使用することができる。一次光源２２は、例えば蛍光ランプまたは冷陰極管等の直管型のものであり、導光板光入射端面２１ａ及び導光板光出射面２１ｂの双方に沿った方向に延在している。
【００２５】
一次光源２２の周囲には、該一次光源から発せられる光を反射して導光体光入射端面２１ａへと導くように配置されたリフレクタ２３が配置されている。該リフレクタ２３は、一次光源２２の延在方向に沿って延びており、導光板２１の板厚方向に、導光板２１の裏面２１ｃの側に位置する第１のリフレクタ部分２３Ａと、導光板２１の光出射面２１ｂの側に位置する第２のリフレクタ部分２３Ｂとに分割されている。リフレクタ部分の内方端縁（即ち導光板２１に近い方の端縁）の位置は、特に限定されるものではないが、本実施形態のように、第１のリフレクタ部分２３Ａの内方端縁は光反射面部材２５の端縁上へと延びており、第２のリフレクタ部分２３Ｂの内方端縁は光拡散板２４の端縁上へと延びていることが好ましい。第１のリフレクタ部分２３Ａの外方端縁と第２のリフレクタ部分２３Ｂの外方端縁とは、リフレクタからの光の漏れを防ぐために、例えば重なり合う様に構成されていることが好ましい。リフレクタ２３としては、例えば、金属蒸着反射層を有するプラスチックフィルムをアルミニウム遮光板により担持したものを両面粘着シートにより接合した構造を有するものを使用することができる。
【００２６】
本実施形態では、導光板２１の周縁部を覆う矩形環状のフレーム部材１０が設けられている。該フレーム部材１０には導光板２１の周縁部に沿って延びている内部空間１０ｓが形成されており、該内部空間１０ｓ内に一次光源２２及びリフレクタ２３が配置されている。フレーム部材１０は、導光板２１の板厚方向に、導光板２１の裏面２１ｃの側に位置する第１フレーム部材１０Ａと、導光板２１の光出射面２１ｂの側に位置する第２フレーム部材１０Ｂとに分割されている。そして、第１フレーム部材１０Ａは、第１のリフレクタ部分２３Ａを支持しており、第２フレーム部材１０Ｂは第２のリフレクタ部分２３Ｂを支持している。
【００２７】
第２フレーム部材１０Ｂには、透明保護板（透光性前面カバー板部材）８を支持するための支持部１８が設けられている。透明保護板８は、例えば厚さ２ｍｍ程度の透明アクリル系樹脂板からなる。また、第２フレーム部材１０Ｂには、透明保護板８と光拡散板２４との間に画像シートＸを保持するための画像シート保持手段６が形成されている。この画像シート保持手段６は、単なる係止ステップからなる。この画像シート保持手段６により、色温度変換フィルタ４も保持されている。
【００２８】
第１フレーム部材１０Ａの上辺部分には適宜の位置に第２フレーム部材１０Ｂの上辺部分に対する係合凹部１０Ａ１が形成されており、これに対応して第２フレーム部材１０Ｂの上辺部分には係合凹部１０Ａ１と係合する係合凸部１０Ｂ１が形成されている。また、第１フレーム部材１０Ａの下辺部分には適宜の位置に第２フレーム部材１０Ｂの下辺部分に対する係合のための係合部１０Ａ２が付設されており、これに対応して第２フレーム部材１０Ｂの下辺部分には係合部１０Ａ２と係合する係合部１０Ｂ２が付設され、第１フレーム部材１０Ａと第２フレーム部材１０Ｂとが着脱可能に係合されている。係合部１０Ａ２，１０Ｂ２としては、例えばボールキャッチ型の係合機構を採用することができる。
【００２９】
フレーム部材１０の外形寸法は、例えば、幅が１６００ｍｍ程度であり、高さが１１８０ｍｍ程度であり、厚さが４０ｍｍ程度である。また、第２フレーム部材１０Ｂにより覆われない導光板光出射面２１ｂの領域［有効面］の寸法は、例えば幅が１４６０ｍｍ程度であり、高さが１０３０ｍｍ程度である。
【００３０】
第１フレーム部材１０Ａの内面には、導光板２１、光拡散板２４及び光反射面部材２５からなる重畳体が固定支持されており、一次光源２２のソケットも固定支持されている。また、第１のリフレクタ部分２３Ａの内方端縁は、第１フレーム部材１０Ａと導光板２１、光拡散板２４及び光反射面部材２５からなる重畳体との間に挟まれている。即ち、第１フレーム部材１０Ａは、導光板２１、光拡散板２４及び光反射面部材２５からなる重畳体、一次光源２２及び第１のリフレクタ部分２３Ａに対して固定配置されている。
【００３１】
一方、第２のリフレクタ部分２３Ｂの内方端縁は、第２フレーム部材１０Ｂに取り付けられている。従って、第２フレーム部材１０Ｂ及び第２のリフレクタ部分２３Ｂは、一体的に、上記導光板２１、光拡散板２４及び光反射面部材２５からなる重畳体、第１フレーム部材１０Ａ及び第１のリフレクタ部分２３Ａに対して、着脱可能であり移動可能とされている。
【００３２】
フレーム部材１０の内部空間１０ｓには、一次光源２２への給電のための機器としての安定器や端子台を配置することができる。これらの機器は第１フレーム部材１０Ａに取り付けることができる。
【００３３】
図４は、本実施形態における一次光源２２の交換の際又は画像シートＸ及び／又は色温度変換フィルタ４の交換又は着脱の際の状態を示している。一次光源２２の交換に際しては、第２フレーム部材１０Ｂの下辺部分を前方へと引っ張ることで、係合部１０Ａ２，１０Ｂ２を図示されている様な分離状態となし、更にフレーム部材上辺部分において係合凹部１０Ａ１から係合凸部１０Ｂ１を離脱させ、第２フレーム部材１０Ｂ及び第２のリフレクタ部分２３Ｂを第１フレーム部材１０Ａ及びこれに対して固定されている部分から分離させて、取り外す。このようにして第２フレーム部材１０Ｂ及び第２のリフレクタ部分２３Ｂを取り外した状態では、一次光源２２は、正面側の半分が露出されるので、容易に交換することが可能である。
【００３４】
本実施形態では、光拡散板２４と透明保護板８との間の隙間を、画像シートＸ及び／又は色温度変換フィルタ４の配置のための領域として利用しており、上記の様な一次光源２２の交換のための作業と同様な作業により、画像シートＸ及び／又は色温度変換フィルタ４の交換又は着脱を容易に行なうことができる。
【００３５】
以下、実施例により本発明を説明する。
【００３６】
［実施例１］
上記図１及び図２に関し説明した実施形態の装置を用いて、透過照明による表示を行なった。この装置において使用した光源２は、次の通りであった：
発光方式：エッジライト方式
発光面サイズ：４００ｍｍ×２８７ｍｍ
一次光源ランプ：８ｍｍφ×４５０ｍｍのもの２本
発光輝度：発光面平均で２０００ｃｄ／ｍ２
この面光源の発光面上の縦３ポイント×横３ポイントの合計９ポイントのｘ値、ｙ値及び色温度値の測定結果を以下の表１に示す：
2004061738.tif 000003
この面光源の発光面上に、数種類の一般紙ポスターをそれぞれ配置し、一般紙ポスター上のｘ値、ｙ値及び色温度値を測定すると、ポスターの色に応じて、これらは種々の値を示した。以下の表２に例を示す：
2004061738.tif 000004
これらのポスターは、反射照明用としては良好な品質のものであるが、透過照明にしたため、全体に白けた印象で、表示品質の劣化が著しかった。
【００３７】
表１に示されるｘ値、ｙ値及び色温度値の光源発光面上に、色温度３２００Ｋ〜３５００Ｋミレッド値２７変換フィルタ（やや赤味を帯びた写真のための色温度変換フィルタであり、フィルタの色はやや濃い青色）を配置することで、ｘ値、ｙ値及び色温度値は、以下の表３のように変化した：
2004061738.tif 000005
以上の結果から、色温度変換フィルタを使用することによりｘ値、ｙ値及び色温度値に生じた変化は以下の表４の通りとなった：
2004061738.tif 000006
この表示装置において、数種類の一般紙ポスターを画像シートとして使用して、透過照明下での画像表示を行なったところ、目視並びにｘ値、ｙ値及び色温度値の測定結果から、透過照明用画像シートを用いた場合とほぼ同様な良好な色味が再現されたことが確認された。
【００３８】
［実施例２］
色温度変換フィルタとして色温度３２００Ｋ〜３３００Ｋミレッド値１０変換フィルタを使用したこと以外は実施例１と同様な工程を実施した。色温度変換フィルタを使用することによりｘ値、ｙ値及び色温度値に生じた変化は以下の表５の通りとなった：
2004061738.tif 000007
この表示装置において、数種類の一般紙ポスターを画像シートとして使用して、透過照明下での画像表示を行なったところ、目視並びにｘ値、ｙ値及び色温度値の測定結果から、透過照明用画像シートを用いた場合とほぼ同様な良好な色味が再現されたことが確認された。
【００３９】
【発明の効果】
以上説明したように、本発明によれば、反射照明用に作製された画像シートに対して照明光を背後から照射する透過照明を適用し、その際に照明光が画像シートに至るまでの光路に色温度変換フィルタを介在させることで、優れた表示効果を有する透過照明表示で、従来使用が不適とされていた反射照明用の画像シートを使用して良好な表示を実現することが可能になり、もって透過照明表示を低価格で実現し、頻繁な画像シート交換が可能になる。
【図面の簡単な説明】
【図１】本発明による画像表示方法の実施される本発明の画像表示装置の一実施形態を示す模式的一部切欠斜視図である。
【図２】本発明による画像表示方法の実施される本発明の画像表示装置の一実施形態を示す部分断面図である。
【図３】本発明による画像表示方法の実施される本発明の画像表示装置の他の実施形態を示す縦断面図である。
【図４】本発明による画像表示方法の実施される本発明の画像表示装置の他の実施形態の分解縦断面図である。
【符号の説明】
２　　光源
２１　　導光板
２１ａ　　光入射端面
２１ｂ　　光出射面
２２　　棒状一次光源
２３　　リフレクタ
２３Ａ　　第１のリフレクタ部分
２３Ｂ　　第２のリフレクタ部分
４　　色温度変換フィルタ
６　　画像シート保持手段
８　　透光性前面カバー板部材
１０Ａ　　第１フレーム部材
１０Ａ１　　係合凹部
１０Ａ２　　係合部
１０Ｂ　　第２フレーム部材
１０Ｂ１　　係合凸部
１０Ｂ２　　係合部
１０Ｃ　　ヒンジ
１０ｓ　　内部空間
１８　　支持部
Ｘ　　画像シート
【図１】
2004061738.tif 000008
【図２】
2004061738.tif 000009
【図３】
2004061738.tif 000010
【図４】
2004061738.tif 000011